(57)【特許請求の範囲】
【請求項１】
遊技盤装着枠にその開放側から着脱自在に装着された遊技盤と、
該遊技盤の遊技領域を透視可能な窓孔を有し且つ前記遊技盤を前記開放側から覆う開閉扉とを設けた弾球遊技機において、
前記開閉扉のヒンジと反対側で前記遊技盤の遊技領域の外側に形成された通孔内に、前記開放側と反対側から前記遊技盤に当接する取り付け部を介して前記遊技盤に固定された保持ケースを設け、
前記遊技盤を前記開放側に引き出すための把手部が前記開放側の端部に設けられた把手部材を、前記保持ケースに前後方向に出退自在に設け、
前記開閉扉の開閉に連動して前記開閉扉を開放したときに前記把手部が前記開放側の突出位置へと突出し且つ前記開閉扉を閉鎖したときに前記把手部が前記遊技盤側の退避位置へと退避するように、前記把手部材を前記突出位置へと付勢するバネを、前記保持ケースの内側で前記把手部材と前記保持ケースのバネ受け部との間に設け、
前記把手部材は前記窓孔の外周側で前記開閉扉に設けられた扉枠に裏面側から当接する当接部と、
前記開放側と反対側に設けられ且つ前記把手部が前記突出位置に突出したときに前記開放側と反対側から前記保持ケースに当接するストッパー部とを有し、
前記突出位置における前記把手部の突出高さは、該把手部の近傍で前記遊技盤に装着された他の部品の突出高さよりも大である
ことを特徴とする弾球遊技機。
【請求項２】
前記把手部材は前記開放側に前記把手部が設けられた支持部と、
該支持部の前記開放側と反対側に設けられ且つ前記保持ケースに前後摺動自在に挿入された支持脚部と、
該支持脚部に設けられ且つ前記把手部が突出したときに前記反対側から前記保持ケースに当接する前記ストッパー部とを有し、
前記保持ケースのバネ受け部と前記支持部との間に前記バネを介在した
ことを特徴とする請求項１に記載の弾球遊技機。
【発明の詳細な説明】
【技術分野】
【０００１】
本発明は、パチンコ機等の弾球遊技機に関し、遊技盤装着枠から遊技盤を取り外す際に、把手部を利用して遊技盤装着枠内の遊技盤を開放側に容易に引き出せるようにしたものである。
【背景技術】
【０００２】
パチンコ機等の弾球遊技機では、矩形枠状の外枠と、この外枠に対して開閉自在に装着された前枠とを備え、この前枠の遊技盤装着枠に遊技盤が前側から着脱自在に嵌合され、遊技盤装着枠内で遊技盤がロック手段により固定されている（特許文献１参照）。
【０００３】
遊技盤装着枠は前面側が開放する矩形枠状であって、この遊技盤装着枠内の後壁部の右辺側の上下にロック手段が設けられている。各ロック手段は後壁部部に前後方向に設けられた回動軸と、この回動軸の前端に固定された操作つまみとを有する。一方、遊技盤にはその右辺側の上下に、遊技盤の着脱時にロック手段の操作つまみが通過可能な切り欠き部が各ロック手段に対応して設けられている。
【０００４】
遊技盤を装着する場合には、遊技盤の左辺側を遊技盤装着枠の左側に嵌めた後、その左辺側を支点として遊技盤を遊技盤装着枠側へと回動させて遊技盤全体を遊技盤装着枠内に嵌め込み、次いで各ロック手段の操作つまみをロック位置に操作して遊技盤装着枠内で遊技盤を固定する。
【０００５】
そして、遊技盤を遊技盤装着枠から取り外す場合には、各ロック手段による遊技盤の固定を解除した後、遊技盤の右辺側の上部等の適当箇所に指先を掛けて遊技盤の右辺側を遊技盤装着枠から引き出した後、遊技盤を遊技盤装着枠から抜き取る。
【特許文献１】特開２００５−１１８３５３号公報
【発明の開示】
【発明が解決しようとする課題】
【０００６】
従来の弾球遊技機では、遊技盤を遊技盤装着枠から取り外す場合の作業が非常に困難で時間を要する欠点がある。何故ならば、遊技盤は前面の遊技領域には液晶式の表示手段、入賞手段等の遊技部品が装着され、また表示手段、入賞手段等の遊技部品の一部が遊技盤の裏側に突出すると共に、それらの突出部分を覆う裏カバーが遊技盤の裏側に設けられ、しかもその裏カバー等に各種の制御基板を収納した基板ケースが装着されており、遊技盤側の重量が非常に大である上に、遊技盤が遊技盤装着枠に嵌合した状態では、遊技盤に指を掛ける隙間が少なく、構造的に遊技盤に指先を掛け難くなっている。
【０００７】
また近時の弾球遊技機では、遊技盤装着枠の右下隅の裏側に枠側ジョイント部を、遊技盤の右下隅の裏面に盤側ジョイント部を夫々前後方向に相対向して配置し、遊技盤を遊技盤装着枠に嵌合させたときに、盤側ジョイント部と枠側ジョイント部とのコネクタ同士が電気的に接続するように構成したものがある。
【０００８】
このような接続方式を採用した弾球遊技機では、コネクタ同士の接続を容易且つ確実にする必要から、遊技盤装着枠内での遊技盤の遊び量を極僅かに抑えており、しかも遊技盤を遊技盤装着枠から取り外すときに、コネクタの摩擦抵抗に抗して遊技盤の右辺側を遊技盤装着枠から引き出す必要があり、その引き出しが益々困難になる傾向にある。
【０００９】
本発明は、このような従来の問題点に鑑み、遊技盤装着枠から遊技盤を取り外す際に、遊技盤装着枠内の遊技盤を開放側に引き出すことができ、遊技盤を遊技盤装着枠から容易に取り外すことができる弾球遊技機を提供することを目的とする。
【課題を解決するための手段】
【００１０】
本発明は、遊技盤装着枠にその開放側から着脱自在に装着された遊技盤と、該遊技盤の遊技領域を透視可能な窓孔を有し且つ前記遊技盤を前記開放側から覆う開閉扉とを設けた弾球遊技機において、前記開閉扉のヒンジと反対側で前記遊技盤の遊技領域の外側に形成された通孔内に、前記開放側と反対側から前記遊技盤に当接する取り付け部を介して前記遊技盤に固定された保持ケースを設け、前記遊技盤を前記開放側に引き出すための把手部が前記開放側の端部に設けられた把手部材を、前記保持ケースに前後方向に出退自在に設け、前記開閉扉の開閉に連動して前記開閉扉を開放したときに前記把手部が前記開放側の突出位置へと突出し且つ前記開閉扉を閉鎖したときに前記把手部が前記遊技盤側の退避位置へと退避するように、前記把手部材を前記突出位置へと付勢するバネを、前記保持ケースの内側で前記把手部材と前記保持ケースのバネ受け部との間に設け、前記把手部材は前記窓孔の外周側で前記開閉扉に設けられた扉枠に裏面側から当接する当接部と、前記開放側と反対側に設けられ且つ前記把手部が前記突出位置に突出したときに前記開放側と反対側から前記保持ケースに当接するストッパー部とを有し、前記突出位置における前記把手部の突出高さは、該把手部の近傍で前記遊技盤に装着された他の部品の突出高さよりも大にしたものである。
【００１１】
前記把手部材は前記開放側に前記把手部が設けられた支持部と、該支持部の前記開放側と反対側に設けられ且つ前記保持ケースに前後摺動自在に挿入された支持脚部と、該支持脚部に設けられ且つ前記把手部が突出したときに前記反対側から前記保持ケースに当接する前記ストッパー部とを有し、前記保持ケースのバネ受け部と前記支持部との間に前記バネを介在してもよい。
【発明の効果】
【００１３】
本発明によれば、遊技盤装着枠から遊技盤を取り外す際に、遊技盤装着枠内の遊技盤を開放側に引き出すことができ、遊技盤を遊技盤装着枠から容易に取り外すことができると共に、その把手部が開閉扉の開閉その他で邪魔になることもない。
【発明を実施するための最良の形態】
【００１４】
以下、本発明の実施形態を図面に基づいて詳述する。図１〜図１０は本発明をパチンコ機に採用した第１の実施形態を例示している。図１において、１は遊技機本体で、矩形状の外枠２と、この外枠２の前側に開閉自在に枢着された前枠３とを備えている。
【００１５】
前枠３は図２〜図４に示すように、外枠２の前面側に当接する矩形枠部４と、この矩形枠部４内の下部に配置された下部装着部５と、矩形枠部４内の上部に配置された上部装着部６とを一体に備え、下部装着部５に発射手段７等が、上部装着部６に遊技盤装着枠８を介して遊技盤９が夫々配置されている。前枠３は矩形枠部４の左右一端側、例えば左側に設けられた上下方向のヒンジ１０により外枠２に開閉、着脱自在に枢支されている。
【００１６】
前枠３の前側には、下部装着部５の前側に対応する前開閉板１１と、上部装着部６の前側に対応するガラス扉１２とがヒンジ１０と同じ側のヒンジ１３により開閉自在に枢支されている。前開閉板１１には、その前側に発射手段７に供給するための遊技球を貯留する供給皿１４、発射手段７を作動させるための発射ハンドル１５等が設けられている。
【００１７】
ガラス扉１２は遊技盤９の遊技領域２２に対応する窓孔２１を有する板金製等の扉枠１６と、この扉枠１６の前面に装着された合成樹脂製の化粧カバー１７と、窓孔２１に対応して扉枠１６の裏側に着脱位置に装着され且つ遊技盤９の遊技領域２２を透視可能なガラスユニット１８とを備え、遊技盤９を前側から覆うように配置されている。ガラスユニット１８は前後２枚のガラス板１９と、このガラス板１９を外周側で保持する環状の保持枠２０とを備えている。
【００１８】
下部装着部５は横長状であって、前側の左右方向の略中央に発射手段７が、その一側に下部スピーカ２３ａが夫々配置されている。発射手段７は下部装着部５に固定された板金製の支持板２４と、この支持板２４の前面に装着された発射レール２５と、支持板２４の前面で前後方向の駆動軸廻りに揺動自在に支持された打撃槌２６と、支持板２４の裏側に装着され且つ打撃槌２６を打撃方向に駆動するロータリソレノイド等の発射駆動手段２７等を備え、発射ハンドル１５を操作したときに発射駆動手段２７により打撃槌２６を打撃方向（時計廻り）に間欠的に駆動することにより、供給皿１４から発射レール２５上に供給された遊技球を発射レール２５に沿って打撃して遊技盤９側に発射させるようになっている。
【００１９】
上部装着部６は前枠３を閉鎖したときに外枠２の内側に嵌合する後ろ向き膨出状であって、この上部装着部６には前側から遊技盤９が着脱自在に装着される遊技盤装着枠８が、後側に遊技盤９の後部側を略覆う後部ケース２８が遊技盤装着枠８に夫々設けられている。なお、上部装着部６の上部側には左右一対の上部スピーカ２３ｂが着脱自在に装着されている。
【００２０】
遊技盤９は図２に示すように、その前面側には発射手段７からの遊技球を遊技領域２２の上部側へと案内する外レール２９、内レール３０等のガイドレールと円弧状の装飾部材３１とが遊技領域２２を取り囲むように環状に装着されると共に、その遊技領域２２内に液晶表示手段（画像表示手段）３２、通過ゲート３３、開閉式入賞手段３４、大入賞手段３５、普通入賞手段３６等の各種遊技部品が装着され、また遊技領域２２外の左右方向の一端側上下に引き出し用の把手部材３７が設けられている。外レール２９と内レール３０との下端間は、遊技盤９の下端の左右方向の一側で下方に開放しており、その開放部分が発射手段７からの遊技球を受け入れる球受け入れ口３８となっている。
【００２１】
遊技盤９の裏面側には、図５に示すように、液晶表示手段３２等の遊技部品を後側から覆う裏カバー４０と、この裏カバー４０の下側に配置された集球ケース４１と、この集球ケース４１の側方下部に配置された盤側ジョイント部４２とが装着されている。盤側ジョイント部４２は遊技盤装着枠８に対する遊技盤９の装着時に前枠３側の枠側ジョイント部４４（図３参照）との間で前枠３側と遊技盤９側との電気系統を一括して接続するためのもので、球受け入れ口３８と反対側の下部に配置されている。
【００２２】
集球ケース４１の背面には主制御基板４５が格納された主基板ケース４６が着脱自在に装着され、また裏カバー４０の背面側には演出制御基板４７が格納された演出基板ケース４８と、液晶制御基板４９が格納された液晶基板ケース５０とが夫々着脱自在に装着されている。
【００２３】
盤側ジョイント部４２は主制御基板４５の信号出力部に接続された盤側コネクタ５１、主制御基板４５の電源部に接続された盤側コネクタ５２、演出制御基板４７の演出信号出力部に接続された盤側コネクタ５３、演出制御基板４７、液晶制御基板４９の電源部に接続された盤側コネクタ５４等を備えている。各盤側コネクタ５１〜５４は横長状であって、上下方向に所定の間隔を置いて略平行に配置されている。
【００２４】
遊技盤装着枠８は図２〜図４に示すように、遊技盤９を上下、左右から取り囲む上下一対の横枠部５６及び左右一対の縦枠部５７と、この各横枠部５６及び縦枠部５７の後端側から内周へと突出して遊技盤９の裏面外周部が前側から当接する各一対の後壁部５８，５９とを備え、遊技盤９を前側から着脱自在に嵌合するように前側が開放する矩形状に構成されている。
【００２５】
遊技盤装着枠８内には、図２、図４に示すように、遊技盤９の球受け入れ口３８に近い左側に係合突起６０と付勢手段６１とが上下方向に２個（複数個）設けられ、また反対側にロック手段６２が上下方向に２個（複数個）設けられており、これらにより遊技盤装着枠８内で遊技盤９が固定されている。
【００２６】
係合突起６０は遊技盤装着枠８に遊技盤９を装着するときに遊技盤９の球受け入れ口３８に近い左端縁を係合するためのもので、後壁部５９との間に遊技盤９の厚さ分の間隔をおいて左側の縦枠部５７に設けられている。各付勢手段６１は遊技盤装着枠８に遊技盤９を装着したときに、遊技盤９の前面端部が係合突起６０に当接すべく遊技盤９を裏側から押圧するためのもので、板バネ等の弾性体により構成されている。なお、付勢手段６１は後部ケース２８の周壁部の内側で後壁部５９から後方に凹入する取り付け部６３等の適当箇所に取り付けられている。
【００２７】
ロック手段６２は図２〜図４、図６に示すように、遊技盤装着枠８内の遊技盤９を固定するためのもので、遊技盤９を遊技盤装着枠８に嵌め込んだときに、遊技盤９の上下の切り欠き部６４内に嵌合するように遊技盤装着枠８の後壁部５８から前側に突出して設けられている。
【００２８】
このロック手段６２は、図６に上側のロック手段６２を示すように、遊技盤装着枠８の各横枠部５６の後壁部５８から前向きに突設された略前後方向の回動軸６６と、この回動軸６６の前端側に固定された操作つまみ６７と、回動軸６６の前後方向の中間部分に固定された押圧部６８とを一体に備えている。なお、操作つまみ６７は着脱位置ａのときに、遊技盤９の切り欠き部６４内を通過可能である。
【００２９】
回動軸６６は後壁部５８の裏側に貫通して、その後端の偏平状等の支持部６９が後壁部５８の裏側の円筒状の保持部７０に嵌合され、保持部７０内で有底円筒状の押え部材７１により後方への移動が規制されており、操作つまみ６７が着脱位置ａとロック位置ｂとの間で回動するように前後方向の軸心廻りに回動自在である。
【００３０】
押え部材７１は保持部７０に対して裏側から着脱可能に係合爪７２により係止されており、この押え部材７１と支持部６９との間に、操作つまみ６７を着脱位置ａとロック位置ｂとに位置決めする位置決め手段７３が設けられている。押え部材７１の裏側には、裏カバー４０の基板取り付け台等の裏部材７４から前側に突出する廻り止め部７５の前端が係合し、この廻り止め部７５により押え部材７１が前後方向の軸心廻りに回転しないようにしている。なお、後壁部５８には保持部７０内に開口７６が形成され、この開口７６を経て回動軸６６、操作つまみ６７及び押圧部６８が後壁部５８の前側へと挿脱自在に挿入されている。
【００３１】
そして、ロック手段６２は操作つまみ６７を着脱位置ａからロック位置ｂへとｃ矢示方向に回動操作したときに、押圧部６８が切り欠き部６４に形成された被押圧面７８を押圧し、また操作つまみ６７が切り欠き部６４の両側の突部７９を押圧して遊技盤装着枠８内の遊技盤９を固定するようになっている。
【００３２】
この実施例では、球受け入れ口３８に近い左下の隅を原点位置として遊技盤９を装着しているため、遊技盤装着枠８の遊技盤９を左の縦枠部５７と下の横枠部５６とが交差する隅部に向かって押圧すべく、下側のロック手段６２の押圧部６８は遊技盤９を左方向に、、上側のロック手段６２の押圧部６８は遊技盤９を左斜め下方に夫々押圧する。
【００３３】
枠側ジョイント部４４は、原点位置と反対位置にある下側のロック手段６２の上近傍において、後部ケース２８の下隅部に裏側から着脱自在に装着されている。この枠側ジョイント部４４は、後部ケース２８に固定されたジョイントケース８１と、このジョイントケース８１の前面側に各盤側コネクタ５１〜５４に対応して装着された枠側コネクタ８２〜８５とを備え、遊技盤９の着脱時に各盤側コネクタ５１〜５４が枠側コネクタ８２〜８５に着脱自在に接続可能である。
【００３４】
なお、枠側コネクタ８２〜８５は前枠３側の払い出し制御基板、電源基板、ガラス扉１２の前面側の装飾ランプ（図示省略）を制御する装飾制御基板等の所定の基板に接続されている。
【００３５】
把手部材３７は図４、図７〜図１０に示すように、遊技盤装着枠８内の遊技盤９を前側に引き出すための把手部８８を有し、遊技盤９の盤側ジョイント部４２、遊技盤装着枠８のロック手段６２と同じ側に配置され、把手部８８がガラス扉１２の開放時に前方に突出し閉鎖時に後方に退避するように、遊技盤９から前方に離れた突出位置ｄ（図８の二点鎖線位置）と、遊技盤９側に接近した退避位置ｅ（図８の実線位置）との間でガラス扉１２の開閉に連動して前後方向に出退自在である。
【００３６】
即ち、把手部材３７は支持部８９と、この支持部８９の前側の把手部８８と、支持部８９から後方に突出し且つ後端部に挿入用案内面９０及びストッパー部９１を有する上下一対の支持脚部９２とを一体に備え、その支持脚部９２がガラス扉１２のガラスユニット１８の保持枠２０又は扉枠１６の裏側に対応する位置で遊技盤９に装着された保持ケース９３に前後方向に摺動自在に挿入され、支持部８９と保持ケース９３の後端側のバネ受け部９３ａとの間に介在されたバネ９４により前方に付勢されて突出している。
【００３７】
保持ケース９３は支持脚部９２を案内する案内溝９５を上下両側に有し、遊技盤９の通孔９６に嵌合して後端の取り付け部９７がネジ等の固定具９８により遊技盤９の裏側に固定されている。支持脚部９２はその後端の挿入用案内面９０を案内溝９５の前端に当接して後方に押圧することにより、その弾性変形によって案内溝９５内に挿入可能であり、ストッパー部９１により前側に抜けないように抜け止めされている。
【００３８】
把手部８８は支持部８９が遊技盤９の前面側に当接又は近接する退避位置ｅでは、前端が遊技盤９の前面の装飾部材３１その他の部品と略同じ程度の突出量となり、また突出位置ｄでは指を掛け易くなるように装飾部材３１その他の部品よりも前側に突出している。なお、把手部８８の前端には、ガラスユニット１８の保持枠２０又は扉枠１６が前側から当接する当接部９９を有し、その当接部９９がガラス扉１２の開閉時にガラス扉１２の裏側に当接する。
【００３９】
保持ケース９３には、その取り付け部９７等の適当箇所に保持部１００が設けられ、この保持部１００に把手部８８の出退を介してガラス扉１２の開閉を検出する開閉検出手段１０１が設けられている。開閉検出手段１０１は例えば一方の支持脚部９２を挟んで保持部１００に装着された投光素子１０２と受光素子１０３とを有し、把手部８８が突出位置ｄ又はその近傍まで突出したときに、受光素子１０３が投光素子１０２からの光を受光してガラス扉１２の開放を検出するように構成されている。開閉検出手段１０１の検出信号は、ガラス扉１２の開放時に発射手段７の発射動作を停止させる発射停止用、ガラス扉１２の開放を報知する開放報知用その他の目的に利用すればよい。
【００４０】
上記構成のパチンコ機において、前枠３の遊技盤装着枠８に遊技盤９を装着する場合には、先ずガラス扉１２を開放し、次いで遊技盤装着枠８の下の横枠部５６上に遊技盤９を載せてその左端を縦枠部５７側の後壁部５８と係合突起６０との間に当接する。そして、係合突起６０との係合部分を支点として遊技盤９の右側を後方へと押圧して遊技盤９を遊技盤装着枠８内に押し込む。
【００４１】
このとき各ロック手段６２の操作つまみ６７を着脱位置ａに合わせて位置決め手段７３により位置決めしておけば、遊技盤装着枠８に遊技盤９を押し込むときに、操作つまみ６７が遊技盤９の切り欠き部６４内を相対的に通過して遊技盤９の前面側へと突出する。
【００４２】
遊技盤９の裏面が遊技盤装着枠８の後壁部５８に当接した後、各ロック手段６２の操作つまみ６７を着脱位置ａからロック位置ｂ側へとｃ矢示方向に回動操作すると、押圧部６８が被押圧面７８を押圧して遊技盤９を遊技盤装着枠８の左下隅の原点位置側へと押し付ける。また操作つまみ６７がロック位置ｂまで回動すると、操作つまみ６７が突部７９を介して遊技盤９を遊技盤装着枠８の後壁部５８へと押し付ける。従って、各ロック手段６２の操作つまみ６７をロック位置ｂまで操作することにより、このロック手段６２によって遊技盤９を遊技盤装着枠８内で固定することができる。
【００４３】
一方、左下隅の原点位置を基準に遊技盤９を遊技盤装着枠８内に挿入して行くときに、遊技盤９の盤側ジョイント部４２の盤側コネクタ５１〜５４と前枠３側の枠側ジョイント部４４の枠側コネクタ８２〜８５とが前後に対応し、遊技盤９が遊技盤装着枠８の後壁部５８に当接するまでの間に盤側コネクタ５１〜５４と枠側コネクタ８２〜８５とが電気的に接続する。このため遊技盤９を装着した後に手作業によってコネクタ相互を接続する煩わしさを解消できる。なお、盤側コネクタ５１〜５４、枠側コネクタ８２〜８５は雄雌構造であればよい。
【００４４】
ガラス扉１２の開放状態では、把手部８８はバネ９４によりｆ矢示方向に付勢されて突出位置ｄにある。次いでガラス扉１２をヒンジ１３廻りに回動して閉じて行くと、ガラスユニット１８の保持枠２０又は扉枠１６が把手部８８の当接部９９に当接し、バネ９４に抗して把手部８８が退避位置ｅへと後方に退避する。なお、ガラス扉１２はその後閉鎖状態で図外の施錠手段により施錠される。
【００４５】
遊技盤９の交換、保守、点検等で遊技盤装着枠８から遊技盤９を取り外す場合には、先ずガラス扉１２をヒンジ１３廻りに前側に開放する。このとき把手部８８はガラス扉１２の開放に伴ってバネ９４の付勢により退避位置ｅから突出位置ｄへと突出する。
【００４６】
なお、把手部８８が突出位置ｄへと突出すると、開閉検出手段１０１がガラス扉１２の開放を検出し、その検出信号を所定の報知、警報、制御に利用できる。例えば、ガラス扉１２の不正な開放であれば、開放警報手段でガラス扉１２の開放を警報する等の利用が可能である。
【００４７】
次にロック手段６２の操作つまみ６７をロック位置ｂから着脱位置ａ側へと反ｃ矢示方向に操作して、ロック手段６２による遊技盤９のロックを解除する。このとき操作つまみ６７を反ｃ矢示方向に操作すれば、操作つまみ６７が突部７９から外れた後、押圧部６８が被押圧面７８から外れて遊技盤９のロックが解除される。
【００４８】
続いて遊技盤９を遊技盤装着枠８から前側に抜き取るが、このとき突出位置ｄにある把手部８８に指を掛けて、この把手部８８を介して遊技盤９の右端側を前側へと引き出す。このようにすれば、遊技盤９の右端縁等に指を掛けて遊技盤９を遊技盤装着枠８から前側へと引き出す必要がなく、遊技盤装着枠８内の遊技盤９を前側へと容易に引き出すことができる。従って、従来に比較して遊技盤９を遊技盤装着枠８から容易に取り出すことができる。しかも、遊技盤９のジョイント部４２，４４に近い側を直接前側へと引き出すため、ジョイント部４２，４４相互間に無理な外力を掛けるようなこともない。
【００４９】
把手部８８はガラス扉１２の開放時に突出位置ｄに、閉鎖時に退避位置ｅに夫々位置するようにガラス扉１２の開閉に連動して出退するため、ガラス扉１２の開閉に支障を来すこともなく、また把手部８８の把持等も容易に行うことができる。
【００５０】
図１１、図１２は本発明の第２の実施例を例示する。この実施例の把手部材３７は、遊技盤９の前面と略平行な支軸１０５廻りに突出位置ｄと退避位置ｅとの間で回動自在に枢支されている。例えば、把手部材３７は上下方向に長い把手部８８の上下方向の一端側のボス部１０６が支軸１０５により支持板１０７に回動自在に枢支され、支軸１０５に套嵌された捩じりコイルバネ等のバネ９４により突出方向（ｇ矢示方向）に付勢されている。また把手部８８の他端側の屈曲部１０８が支持板１０７の開口１０９又は切り欠き部に挿入されて、その屈曲部１０８の後端側に挿入用案内面９０、ストッパー部９１が設けられている。支持板１０７は遊技盤９の前面にネジその他の固定具１１０により固定されている。
【００５１】
屈曲部１０８は支軸１０５を中心とする円弧状であって、開口１０９又は切り欠き部の裏側で遊技盤９に形成された通孔９６内に突出している。また支持板１０７の裏側には、屈曲部１０８を挟んで配置された投光素子１０２、受光素子１０３等からなる開閉検出手段１０１が保持部１００を介して設けられている。なお、把手部８８はその前側がガラス扉１２の保持枠２０又は扉枠１６等の裏側に当接して、ガラス扉１２の開閉に連動して出退自在である。他の構成は第１の実施例と同様である。
【００５２】
この実施例では、ガラス扉１２の開放時には、把手部８８はバネ９４により支軸１０５廻りに付勢されて突出位置ｄにあり、この把手部８８を把持して遊技盤９を遊技盤装着枠８から前側に引き出すことができる。またガラス扉１２を閉鎖すれば、把手部８８は図１１に二点鎖線で示すようにバネ９４に抗して支軸１０５廻りに回動して退避位置ｅまで退避する。
【００５３】
このように把手部８８は支軸１０５廻りに回動又は起伏して出退するようにしてもよい。またこのように把手部８８を支軸１０５廻りに回動又は起伏自在に枢支した場合には、第１の実施例のように前後方向に直線的に出退する場合に比較して構造的に簡単にできる。しかも把手部８８を突出位置ｄにした場合でも、その一端側が支軸１０５を介して遊技盤９側に連結され、他端側がストッパー部９１を介して遊技盤９側に係合しているので、上下方向の荷重に対する把手部８８の強度を容易に確保することができる。
【００５４】
図１３、図１４は本発明の第３の実施例を例示する。この実施例の把手部材３７は把手部８８を支持する支持脚部９２が遊技盤９の保持ケース９３に前後方向に摺動自在に挿入されており、この把手部８８を退避位置ｅ側に付勢するバネ９４と、把手部８８に係脱自在に係合してガラス扉１２の開放時に把手部８８を突出位置ｄに引き出す板バネ等の係合片１１２と、突出位置ｄで把手部８８を位置決めする位置決め手段１１３と、支持脚部９２を介してガラス扉１２の開閉を検出する開閉検出手段１０１とが設けられている。
【００５５】
支持脚部９２は後端が弾性変形可能に二つ割り状であって、両側に挿入用案内面９０と抜け止め用のストッパー部９１とを有し、二つ割り部分の弾性変形により保持ケース９３内に挿入されている。バネ９４は保持ケース９３とストッパー部９１との間で支持脚部９２に套嵌されている。位置決め手段１１３は支持脚部９２に形成された位置決め凹部１１４と、保持ケース９３内に挿入され且つ把手部８８が突出位置ｄまで突出したときに位置決め凹部１１４に係脱自在に係合する板バネ等の位置決め片１１５とにより構成されている。
【００５６】
開閉検出手段１０１は接触子１１６を有するスイッチ１１７により構成され、その接触子１１６が支持脚部９２の挿入用案内面９０から離れたときにガラス扉１２の開放を検出するようになっている。スイッチ１１７は保持ケース９３の取り付け部９７の裏側の保持部１００に取り付けられている。なお、開閉検出手段１０１は非接触でもよい。
【００５７】
この場合には、把手部８８は通常、バネ９４により退避位置ｅに保持されている。このため把手部８８が遊技盤９の前面側に大きく突出することはない。
【００５８】
またガラス扉１２を閉鎖した状態では、その係合片１１２が把手部８８に係合している。ガラス扉１２を開放すると、把手部８８に係合する係合片１１２がバネ９４に抗して把手部８８を突出位置ｄ側へと引き出す。そして、把手部８８が突出位置ｄまで移動すると、ストッパー部９１が保持ケース９３に当接するため、係合片１１２が把手部８８から外れ、ガラス扉１２が更に開放方向へと回動する。
【００５９】
一方、位置決め手段１１３の位置決め片１１５が支持脚部９２の位置決め凹部１１４に係合し、バネ９４に抗して把手部８８を突出位置ｄで保持する。このためガラス扉１２の開放後に、その突出位置ｄにある把手部８８に指を掛けて遊技盤９を前側に引き出せばよい。
【００６０】
突出位置ｄの把手部８８を軽く後方に押せば、位置決め手段１１３による位置決めが解除されるため、把手部８８はバネ９４により退避位置ｅへと退避する。
【００６１】
図１５、図１６は本発明の第４の実施例を例示する。この実施例では把手部８８、支持部８９、支持脚部９２を含む把手部材３７の全体が弾性を有する合成樹脂材料により一体に成形されている。支持部８９は上下方向に長い矩形板状に構成され、その上端に帯状の把手部８８が、また下部に把手部８８を挿通する挿通部１２３が夫々一体に形成されている。把手部８８は先端側が二つ割り状で、その先端側に挿入用案内面９０とストッパー部９１とが設けられており、支持部８９の上端側から前側を経て円弧状に湾曲して二つ割り部分が挿通部１２３に摺動自在に挿通され、ストッパー部９１で抜け止めされている。
【００６２】
支持部８９はその裏側の上下に一対の支持脚部９２を遊技盤９の通孔９６に前側から挿入して固定されている。なお、支持脚部９２は支持部８９から後方に突出し、その後端側の二つ割り部分の外側に挿入用案内面１１８と抜け止め用のストッパー部１１９とが設けられている。
【００６３】
この実施例の場合には、円弧状に湾曲する把手部８８が適度な弾性力を有し、ガラス扉１２の開放状態では、図１５に実線で示すようにその弾性力により突出位置ｄに突出している。この状態からガラス扉１２を閉鎖して行くと、ガラス扉１２の扉枠１６等の裏面側が把手部８８に接触して図１５に二点鎖線で示す退避位置ｅまで押圧する。またガラス扉１２を開放すれば、把手部８８がその弾性力により復元して突出位置ｄへと突出する。従って、遊技盤装着枠８内の遊技盤９を引き出す場合には、突出位置ｄにある把手部８８に指を掛けて前方に引き出せばよい。
【００６４】
このように把手部材３７の全体を一体に成形してもよいし、その構造によっては把手部８８をガラス扉１２の開閉に連動して出退させることが可能である。
【００６５】
図１７、図１８は本発明の第５の実施例を例示する。この実施例の把手部材３７は、杆状部１２０の先端にリング状の把手部８８を有し、他端のボス部１０６が支持板１０７の一対の突出部１２１間で支軸１０５により回動自在に枢支されている。
【００６６】
一方の突出部１２１とボス部１０６との間には、把手部８８が遊技盤９に沿って倒れた退避位置ｅと、把手部８８が遊技盤９から前方に突出する突出位置ｄとに保持する凹凸構造等の保持手段１２２が設けられている。
【００６７】
この実施例では、把手部８８はガラス扉１２の開閉に関係なく手で退避位置ｅと突出位置ｄとの間で起伏操作する。通常は把手部８８は退避位置ｅにある。そして、遊技盤９を引き出す場合には、把手部８８を支軸１０５廻りに操作して、退避位置ｅから突出位置ｄへと起立させる。そして、その起立状態で把手部８８に指を掛けて遊技盤９を引き出せばよい。
【００６８】
図１９は本発明の第６の実施例を例示する。この実施例の把手部材３７は、把手部８８と、この把手部８８から後方に略真っ直ぐに突出する紐状部１２４とを有し、適度な弾性を有する合成樹脂材により一体に成形されている。そして、紐状部１２４は遊技盤９の通孔９６に挿入され、把手部８８が突出位置ｄと退避位置ｅとの間で前後方向に移動可能な長さを残して、紐状部１２４の後端側に結び目１２５が形成されている。
【００６９】
この場合には、通常は把手部８８を遊技盤９側の退避位置ｅに退避させておき、遊技盤９を引き出すときに把手部８８を突出位置ｄまで引き出して、その把手部８８に指を掛けて遊技盤９を引き出せばよい。またこの把手部材３７の紐状部１２４を遊技盤９の通孔９６に挿入して、その紐状部１２４の後端側に結び目１２５を形成すればよいので、構造的にも非常に簡単で容易且つ安価に実施することができる。  
【００７０】
以上、本発明の実施例について詳述したが、本発明はこれらの実施例に限定されるものではなく、本発明の趣旨を逸脱しない範囲で種々の変更が可能である。実施例では、前側が開放状の遊技盤装着枠８に対して遊技盤９を前側から着脱自在に装着する装着形態を採用し、その遊技盤９を開放側から覆う開閉扉としてガラス扉１２を例示しているが、後側が開放状の遊技盤装着枠８に対して遊技盤９を後側から着脱自在に装着する装着形態を採用してもよい。
【００７１】
その場合、遊技盤９を開放側から覆う開閉扉は、遊技盤９の裏側に開閉自在に配置される裏機構板とすればよい。この場合には、遊技盤装着枠８に対して遊技盤９を後側から着脱するため、把手部８８は遊技盤９の裏側から後方に離れる突出位置ｄと、遊技盤９の裏側に接近する退避位置ｅとの間で出退するように設ければよい。
【００７２】
把手部８８は遊技盤９に対して前後方向の直線運動で出退してもよいし、支軸１０５廻りの円弧運動で出退するようにしてもよい。また把手部８８が支軸１０５廻りの円弧運動で出退する場合、その支軸１０５は遊技盤９と略平行な横軸、縦軸の何れでもよいし、斜め方向の傾斜軸でもよい。
【００７３】
把手部８８の形状、構造は遊技盤９を引き出す際に指を掛け得るものであれば十分であり、また把手部８８を含む把手部材３７は、遊技盤９の装着時にその把手部８８を把持して遊技盤９側の全体を支え得る程度の強度を有するものでもよい。
【００７４】
把手部８８を遊技盤９に対して出退可能に取り付けるに際しての取り付け構造は、把手部８８の周辺部分の部品の配置等を考慮して適宜設計すればよい。また把手部材３７及びその保持ケース９３を含む全体をユニット状に構成して、その全体を遊技盤９に対して裏側又は前側から装着するようにしてもよい。
【００７５】
遊技盤９の左右方向の一端側又は上下方向の一端側を遊技盤装着枠８に嵌め込んで、その部分を基準として遊技盤９を遊技盤装着枠８内で固定する場合には、遊技盤９の基準側と反対側に把手部８８を設けることが望ましい。その場合、反対側の両端部、例えば実施例の場合であれば上下両端部に把手部８８を夫々設けてもよいし、上端側、下端側又は上下方向の中央部に１個設けてもよい。
【００７６】
開閉検出手段１０１を設ける場合、各実施例に例示のように保持ケース９３の取り付け部９７等に設ける等、遊技盤９側に開閉検出手段１０１を設ける他、ガラス扉１２の開閉に伴う把手部８８の出退動作を検出するように、把手部材３７の支持脚部９２に対応して前枠３側に設けてもよい。このようにすれば、前枠３を各種の遊技盤９に共通に使用できることから、開閉検出手段１０１を共通に使用することが可能となり、個々の遊技盤９に開閉検出手段１０１を設ける場合に比較して製作コストを抑えることができる。その他、盤側ジョイント部４２、枠側ジョイント部４４のない弾球遊技機でも同様に実施可能である。またパチンコ機以外の雀球機、その他の各種の弾球遊技機でも同様に実施可能である。
【図面の簡単な説明】
【００７７】
【図１】本発明の第１の実施例を示すパチンコ機の全体斜視図である。
【図２】同ガラス扉及び前面開閉板を取り外した状態での正面図である。
【図３】同前枠の斜視図である。
【図４】同要部の平面断面図である。
【図５】同遊技盤の背面図である。
【図６】同ロック手段の要部の正面図である。
【図７】同把手部分の分解斜視図である。
【図８】同把手部分の側面断面図である。
【図９】同把手部分の正面断面図である。
【図１０】同把手部分の平面断面図である。
【図１１】本発明の第２の実施例を示す把手部分の側面断面図である。
【図１２】同正面図である。
【図１３】本発明の第３の実施例を示す把手部分の側面断面図である。
【図１４】同平面断面図である。
【図１５】本発明の第４の実施例を示す把手部分の側面断面図である。
【図１６】同斜視図である。
【図１７】本発明の第５の実施例を示す把手部分の側面断面図である。
【図１８】同正面図である。
【図１９】本発明の第６の実施例を示す把手部分の側面断面図である。
【符号の説明】
【００７８】
８  遊技盤装着枠
９  遊技盤
１２  ガラス扉（開閉扉）
１３  ヒンジ
２２  遊技領域
８８  把手部
９４  バネ
１０１  開閉検出手段
ｄ  突出位置
ｅ  退避位置
【図１】
0005274036.tif 000002
【図２】
0005274036.tif 000003
【図３】
0005274036.tif 000004
【図４】
0005274036.tif 000005
【図５】
0005274036.tif 000006
【図６】
0005274036.tif 000007
【図７】
0005274036.tif 000008
【図８】
0005274036.tif 000009
【図９】
0005274036.tif 000010
【図１０】
0005274036.tif 000011
【図１１】
0005274036.tif 000012
【図１２】
0005274036.tif 000013
【図１３】
0005274036.tif 000014
【図１４】
0005274036.tif 000015
【図１５】
0005274036.tif 000016
【図１６】
0005274036.tif 000017
【図１７】
0005274036.tif 000018
【図１８】
0005274036.tif 000019
【図１９】
0005274036.tif 000020